【手続補正書】
【提出日】平成28年6月21日(2016.6.21)
【手続補正１】
【補正対象書類名】特許請求の範囲
【補正対象項目名】全文
【補正方法】変更
【補正の内容】
【特許請求の範囲】
【請求項１】
対象物を滅菌する滅菌装置であって、
前記対象物を収容し、気体の滅菌剤を用いて前記対象物を滅菌する滅菌室と、
前記滅菌室を減圧するための真空機器と、
液体の滅菌剤を供給する供給装置と、
前記供給装置により供給された前記液体の滅菌剤を濃縮する濃縮室と、
前記真空機器により所定の気圧まで減圧された前記滅菌室で前記気体の滅菌剤として用いられる液体の滅菌剤を溜める滅菌剤溜まり部であって前記濃縮室内の前記液体の滅菌剤を入れて溜める滅菌剤溜まり部と、
を備え、
前記滅菌装置が、前記濃縮室で所定の時間濃縮された滅菌剤を用いた滅菌処理を行う濃縮モードの選択を受け付けた場合には、前記供給装置が前記濃縮室に液体の滅菌剤を供給し、前記濃縮室に供給された当該液体の滅菌剤を前記濃縮室が前記所定の時間濃縮し、前記濃縮室で前記所定の時間濃縮された液体の滅菌剤を前記滅菌剤溜まり部に入れ、一方、前記滅菌装置が、濃縮していない滅菌剤を用いた滅菌処理を行う非濃縮モードの選択を受け付けた場合には、前記真空機器により前記滅菌室が所定の気圧まで減圧された後に前記供給装置が前記濃縮室に液体の滅菌剤を供給し、前記濃縮室に供給された当該液体の滅菌剤を、前記濃縮室が濃縮することなく、前記滅菌剤溜まり部に入れることを特徴とする滅菌装置。
【請求項２】
気体の滅菌剤を用いて滅菌室に収容される対象物を滅菌する滅菌装置であって、
前記滅菌室を減圧するための真空機器と、
液体の滅菌剤を供給する供給装置と、
前記供給装置により供給された液体の滅菌剤を濃縮する濃縮室と、
前記供給装置により前記濃縮室に供給された液体の滅菌剤を、前記真空機器により所定の気圧まで減圧された前記滅菌室で気体の滅菌剤として用いて前記対象物を滅菌する前記滅菌室と、
を備え、
前記滅菌装置が、前記濃縮室で所定の時間濃縮された滅菌剤を用いた滅菌処理を行う濃縮モードの選択を受け付けた場合には、前記供給装置が前記濃縮室に液体の滅菌剤を供給し、前記濃縮室に供給された当該液体の滅菌剤を前記濃縮室が前記所定の時間濃縮し、前記濃縮室で前記所定の時間濃縮された液体の滅菌剤を、前記真空機器により所定の気圧まで減圧された前記滅菌室で気体の滅菌剤として用いて前記対象物を滅菌し、一方、前記滅菌装置が、濃縮していない滅菌剤を用いた滅菌処理を行う非濃縮モードの選択を受け付けた場合には、前記真空機器により前記滅菌室が所定の気圧まで減圧された後に前記供給装置が前記濃縮室に液体の滅菌剤を供給し、前記濃縮室に供給された当該液体の滅菌剤を、前記濃縮室が濃縮することなく、前記真空機器により所定の気圧まで減圧された前記滅菌室で気体の滅菌剤として用いて前記対象物を滅菌することを特徴とする滅菌装置。
【請求項３】
前記真空機器により減圧された気化室であって、前記濃縮室に供給された液体の滅菌剤を気化する前記気化室を更に備え、
前記滅菌装置が、前記濃縮モードの選択を受け付けた場合には、前記供給装置が前記濃縮室に液体の滅菌剤を供給し、前記濃縮室に供給された当該液体の滅菌剤を前記濃縮室が前記所定の時間濃縮し、前記気化室が、前記濃縮室で前記所定の時間濃縮された液体の滅菌剤を気化し、前記真空機器により所定の気圧まで減圧された前記滅菌室が、前記気化室で気化された気体の滅菌剤を用いて前記対象物を滅菌し、一方、前記滅菌装置が、前記非濃縮モードの選択を受け付けた場合には、前記真空機器により前記滅菌室が所定の気圧まで減圧された後に前記供給装置が前記濃縮室に液体の滅菌剤を供給し、前記濃縮室に供給された当該液体の滅菌剤を、前記濃縮室が濃縮することなく、前記気化室が、前記濃縮室に供給された当該液体の滅菌剤を気化し、前記真空機器により所定の気圧まで減圧された前記滅菌室が、前記気化室で気化された気体の滅菌剤を用いて前記対象物を滅菌することを特徴とする請求項２に記載の滅菌装置。
【請求項４】
前記滅菌装置が、前記濃縮モードの選択を受け付けた場合には、前記真空機器により前記滅菌室が所定の気圧まで減圧される前に、前記供給装置が前記濃縮室に液体の滅菌剤を供給することを特徴とする請求項１乃至３の何れか１項に記載の滅菌装置。
【請求項５】
対象物を収容し、気体の滅菌剤を用いて前記対象物を滅菌する滅菌室と、前記滅菌室を減圧するための真空機器と、液体の滅菌剤を供給する供給装置と、前記供給装置により供給された前記液体の滅菌剤を濃縮する濃縮室と、前記真空機器により所定の気圧まで減圧された前記滅菌室で前記気体の滅菌剤として用いられる液体の滅菌剤を溜める滅菌剤溜まり部であって前記濃縮室内の前記液体の滅菌剤を入れて溜める滅菌剤溜まり部と、を備える滅菌装置における滅菌方法であって、
前記滅菌装置が、前記濃縮室で所定の時間濃縮された滅菌剤を用いた滅菌処理を行う濃縮モードの選択を受け付けた場合には、前記供給装置が前記濃縮室に液体の滅菌剤を供給し、前記濃縮室に供給された当該液体の滅菌剤を前記濃縮室が前記所定の時間濃縮し、前記濃縮室で前記所定の時間濃縮された液体の滅菌剤を前記滅菌剤溜まり部に入れ、一方、前記滅菌装置が、濃縮していない滅菌剤を用いた滅菌処理を行う非濃縮モードの選択を受け付けた場合には、前記真空機器により前記滅菌室が所定の気圧まで減圧された後に前記供給装置が前記濃縮室に液体の滅菌剤を供給し、前記濃縮室に供給された当該液体の滅菌剤を、前記濃縮室が濃縮することなく、前記滅菌剤溜まり部に入れることを特徴とする滅菌方法。
【請求項６】
滅菌室を減圧するための真空機器と、液体の滅菌剤を供給する供給装置と、前記供給装置により供給された液体の滅菌剤を濃縮する濃縮室と、前記供給装置により前記濃縮室に供給された液体の滅菌剤を、前記真空機器により所定の気圧まで減圧された前記滅菌室で気体の滅菌剤として用いて対象物を滅菌する前記滅菌室と、を備え、前記気体の滅菌剤を用いて前記滅菌室に収容される前記対象物を滅菌する滅菌装置における滅菌方法であって、
前記滅菌装置が、前記濃縮室で所定の時間濃縮された滅菌剤を用いた滅菌処理を行う濃縮モードの選択を受け付けた場合には、前記供給装置が前記濃縮室に液体の滅菌剤を供給し、前記濃縮室に供給された当該液体の滅菌剤を前記濃縮室が前記所定の時間濃縮し、前記濃縮室で前記所定の時間濃縮された液体の滅菌剤を、前記真空機器により所定の気圧まで減圧された前記滅菌室で気体の滅菌剤として用いて前記対象物を滅菌し、一方、前記滅菌装置が、濃縮していない滅菌剤を用いた滅菌処理を行う非濃縮モードの選択を受け付けた場合には、前記真空機器により前記滅菌室が所定の気圧まで減圧された後に前記供給装置が前記濃縮室に液体の滅菌剤を供給し、前記濃縮室に供給された当該液体の滅菌剤を、前記濃縮室が濃縮することなく、前記真空機器により所定の気圧まで減圧された前記滅菌室で気体の滅菌剤として用いて前記対象物を滅菌することを特徴とする滅菌方法。
【手続補正２】
【補正対象書類名】明細書
【補正対象項目名】０００１
【補正方法】変更
【補正の内容】
【０００１】
本発明は、滅菌装置、滅菌方法に関する。特に、濃縮された滅菌剤を用いた滅菌処理と、濃縮していない滅菌剤を用いた滅菌処理とを切り替え可能に１台の滅菌装置に実装すると共に、滅菌装置のサイズが大きくならないようにする滅菌装置と滅菌方法に関する。
【手続補正３】
【補正対象書類名】明細書
【補正対象項目名】０００６
【補正方法】変更
【補正の内容】
【０００６】
また、これらの機能を１台の滅菌装置に実装するためにするためには、滅菌装置のサイズが大きくなってしまうことが考えられる。
【手続補正４】
【補正対象書類名】明細書
【補正対象項目名】０００７
【補正方法】変更
【補正の内容】
【０００７】
本発明の目的は、濃縮された滅菌剤を用いた滅菌処理と、濃縮していない滅菌剤を用いた滅菌処理とを切り替え可能に１台の滅菌装置に実装すると共に、滅菌装置のサイズが大きくならないようにする仕組みを提供することである。
【手続補正５】
【補正対象書類名】明細書
【補正対象項目名】０００８
【補正方法】変更
【補正の内容】
【０００８】
本発明は、対象物を滅菌する滅菌装置であって、前記対象物を収容し、気体の滅菌剤を用いて前記対象物を滅菌する滅菌室と、前記滅菌室を減圧するための真空機器と、液体の滅菌剤を供給する供給装置と、前記供給装置により供給された前記液体の滅菌剤を濃縮する濃縮室と、前記真空機器により所定の気圧まで減圧された前記滅菌室で前記気体の滅菌剤として用いられる液体の滅菌剤を溜める滅菌剤溜まり部であって前記濃縮室内の前記液体の滅菌剤を入れて溜める滅菌剤溜まり部と、を備え、前記滅菌装置が、前記濃縮室で所定の時間濃縮された滅菌剤を用いた滅菌処理を行う濃縮モードの選択を受け付けた場合には、前記供給装置が前記濃縮室に液体の滅菌剤を供給し、前記濃縮室に供給された当該液体の滅菌剤を前記濃縮室が前記所定の時間濃縮し、前記濃縮室で前記所定の時間濃縮された液体の滅菌剤を前記滅菌剤溜まり部に入れ、一方、前記滅菌装置が、濃縮していない滅菌剤を用いた滅菌処理を行う非濃縮モードの選択を受け付けた場合には、前記真空機器により前記滅菌室が所定の気圧まで減圧された後に前記供給装置が前記濃縮室に液体の滅菌剤を供給し、前記濃縮室に供給された当該液体の滅菌剤を、前記濃縮室が濃縮することなく、前記滅菌剤溜まり部に入れることを特徴とする。
また、本発明は、気体の滅菌剤を用いて滅菌室に収容される対象物を滅菌する滅菌装置であって、前記滅菌室を減圧するための真空機器と、液体の滅菌剤を供給する供給装置と、前記供給装置により供給された液体の滅菌剤を濃縮する濃縮室と、前記供給装置により前記濃縮室に供給された液体の滅菌剤を、前記真空機器により所定の気圧まで減圧された前記滅菌室で気体の滅菌剤として用いて前記対象物を滅菌する前記滅菌室と、を備え、前記滅菌装置が、前記濃縮室で所定の時間濃縮された滅菌剤を用いた滅菌処理を行う濃縮モードの選択を受け付けた場合には、前記供給装置が前記濃縮室に液体の滅菌剤を供給し、前記濃縮室に供給された当該液体の滅菌剤を前記濃縮室が前記所定の時間濃縮し、前記濃縮室で前記所定の時間濃縮された液体の滅菌剤を、前記真空機器により所定の気圧まで減圧された前記滅菌室で気体の滅菌剤として用いて前記対象物を滅菌し、一方、前記滅菌装置が、濃縮していない滅菌剤を用いた滅菌処理を行う非濃縮モードの選択を受け付けた場合には、前記真空機器により前記滅菌室が所定の気圧まで減圧された後に前記供給装置が前記濃縮室に液体の滅菌剤を供給し、前記濃縮室に供給された当該液体の滅菌剤を、前記濃縮室が濃縮することなく、前記真空機器により所定の気圧まで減圧された前記滅菌室で気体の滅菌剤として用いて前記対象物を滅菌することを特徴とする。

【手続補正６】
【補正対象書類名】明細書
【補正対象項目名】０００９
【補正方法】変更
【補正の内容】
【０００９】
また、本発明は、対象物を収容し、気体の滅菌剤を用いて前記対象物を滅菌する滅菌室と、前記滅菌室を減圧するための真空機器と、液体の滅菌剤を供給する供給装置と、前記供給装置により供給された前記液体の滅菌剤を濃縮する濃縮室と、前記真空機器により所定の気圧まで減圧された前記滅菌室で前記気体の滅菌剤として用いられる液体の滅菌剤を溜める滅菌剤溜まり部であって前記濃縮室内の前記液体の滅菌剤を入れて溜める滅菌剤溜まり部と、を備える滅菌装置における滅菌方法であって、前記滅菌装置が、前記濃縮室で所定の時間濃縮された滅菌剤を用いた滅菌処理を行う濃縮モードの選択を受け付けた場合には、前記供給装置が前記濃縮室に液体の滅菌剤を供給し、前記濃縮室に供給された当該液体の滅菌剤を前記濃縮室が前記所定の時間濃縮し、前記濃縮室で前記所定の時間濃縮された液体の滅菌剤を前記滅菌剤溜まり部に入れ、一方、前記滅菌装置が、濃縮していない滅菌剤を用いた滅菌処理を行う非濃縮モードの選択を受け付けた場合には、前記真空機器により前記滅菌室が所定の気圧まで減圧された後に前記供給装置が前記濃縮室に液体の滅菌剤を供給し、前記濃縮室に供給された当該液体の滅菌剤を、前記濃縮室が濃縮することなく、前記滅菌剤溜まり部に入れることを特徴とする。
また、本発明は、滅菌室を減圧するための真空機器と、液体の滅菌剤を供給する供給装置と、前記供給装置により供給された液体の滅菌剤を濃縮する濃縮室と、前記供給装置により前記濃縮室に供給された液体の滅菌剤を、前記真空機器により所定の気圧まで減圧された前記滅菌室で気体の滅菌剤として用いて対象物を滅菌する前記滅菌室と、を備え、前記気体の滅菌剤を用いて前記滅菌室に収容される前記対象物を滅菌する滅菌装置における滅菌方法であって、前記滅菌装置が、前記濃縮室で所定の時間濃縮された滅菌剤を用いた滅菌処理を行う濃縮モードの選択を受け付けた場合には、前記供給装置が前記濃縮室に液体の滅菌剤を供給し、前記濃縮室に供給された当該液体の滅菌剤を前記濃縮室が前記所定の時間濃縮し、前記濃縮室で前記所定の時間濃縮された液体の滅菌剤を、前記真空機器により所定の気圧まで減圧された前記滅菌室で気体の滅菌剤として用いて前記対象物を滅菌し、一方、前記滅菌装置が、濃縮していない滅菌剤を用いた滅菌処理を行う非濃縮モードの選択を受け付けた場合には、前記真空機器により前記滅菌室が所定の気圧まで減圧された後に前記供給装置が前記濃縮室に液体の滅菌剤を供給し、前記濃縮室に供給された当該液体の滅菌剤を、前記濃縮室が濃縮することなく、前記真空機器により所定の気圧まで減圧された前記滅菌室で気体の滅菌剤として用いて前記対象物を滅菌することを特徴とする。
【手続補正７】
【補正対象書類名】明細書
【補正対象項目名】００１０
【補正方法】変更
【補正の内容】
【００１０】
本願発明により、濃縮された滅菌剤を用いた滅菌処理と、濃縮していない滅菌剤を用いた滅菌処理とを切り替え可能に１台の滅菌装置に実装すると共に、滅菌装置のサイズが大きくならないようにすることができる。
【手続補正８】
【補正対象書類名】明細書
【補正対象項目名】０１４５
【補正方法】変更
【補正の内容】
【０１４５】
ステップＳ７０６では、濃縮炉２０８は、図１０に示すように、濃縮炉２０８の下部にヒータが設けられており、このヒータの熱により、滅菌剤が加熱される。滅菌剤が過酸化水素水溶液の場合、このヒータの熱により、水が気化される。そして、気化した水は、気送加圧ポンプ２０９から導管を通して送り込まれる空気により、排気用ＨＥＰＡフィルタ２２１に導通している導管に押し出され、濃縮炉２０８内から排気される。これにより、滅菌剤（過酸化水素水溶液）が濃縮される。
図７で説明した通り、ステップＳ７１０で、濃縮炉２０８内の滅菌剤は、計量管２１４内に入る。
この計量管２１４は、図１０に示すように、直管部１００１と枝管部１００２とから構成されている。
直管部１００１は、直線の管状の部分である。直管部１００１の管は、重力方向に配置されている。
また、枝管部１００２は、直管部１００１の中間部又は上部から、枝状に延びた管状の部分である。
直管部１００１は、直管部の軸心と、枝管部１００２の軸心とが垂直になる様に据え付けられる。
【手続補正９】
【補正対象書類名】明細書
【補正対象項目名】０１４６
【補正方法】変更
【補正の内容】
【０１４６】
このような構成にしているため、濃縮炉２０８から入ってきた滅菌剤は、計量管２１４内の直管部１００１に溜まるように構成されている。直管部１００１に滅菌剤が溜まる部分を滅菌剤溜まり部１００３と言う。
【手続補正１０】
【補正対象書類名】明細書
【補正対象項目名】０１４９
【補正方法】変更
【補正の内容】
【０１４９】
そして、ステップＳ７１４で弁（Ｖ２）を開けることで、滅菌剤溜まり部１００３に溜まっていた滅菌剤が、気化炉２１６に吸い込まれて、気化する。図１０に示すように、気化炉２１６の上部から液体の滅菌剤が気化炉２１６に入ることで、滅菌剤が気化しやすい。
【手続補正１１】
【補正対象書類名】図面
【補正対象項目名】図７
【補正方法】変更
【補正の内容】
【図７】
2016032765.tif 000001